(57)【要約】【課題】筐体のフレームグランド性能を向上させることにより、筐体収納機器の性能を十分引き出し、収納機器の安定した動作を実現できるフレームグランド強化筐体を提供する。【解決手段】複数の構成部品を組み立てて成る筐体１００において、下側面板２に複数のアース端子７を設け、複数の主要構成部品である上側面板１、２枚のサイドパネル９、リアパネル１０、扉１１、２本のマウントアングル４、２本のマウントレール５と、アース端子７とをアース線１９でそれぞれ接続し、サイドパネル９、リアパネル１０、扉１１と接続するアース線１９にはスパイラル部２０を設けた。【選択図】　　図１
2004119551.tif 000002
【特許請求の範囲】
【請求項１】
複数の構成部品を組み立てて成る筐体において、
複数のアース端子を有し、
複数の前記構成部品と、前記アース端子とをアース線で接続して成ることを特徴とするフレームグランド強化筐体。
【発明の詳細な説明】
【０００１】
【発明の属する技術分野】
本発明は、例えば、構内無線装置、交換機、コンピュータシステム等の各種機器を収納する筐体におけるフレームグランド（ＦＧ）の強化に係るフレームグランド強化筐体に関するものである。
【０００２】
【従来の技術】
従来技術としては、例えば、金属フレームと１個のアース端子とを接続している（例えば、特許文献１参照。）。
【０００３】
【特許文献１】特開平０５−２０５６６１号公報（第４頁、図１）
従来の構内無線装置、交換機、コンピュータシステム等の各種電子機器を収納する筐体の一例について、図４、図５、図６を用いて説明する。
図４は筐体の全体外観斜視図、図５は従来の筐体の分解斜視図、図６は図４のＡ−Ａ切断線における従来の筐体の断面図である。
図４において、１００は筐体、１は上側面板、２は下側面板、８は天板、９は２枚のサイドパネル、１１は扉、図５において、３は４本のポスト、４はマウントアングル、５はマウントレール、６はセンタープレート、７はアース端子（すなわち、接地端子、グランド端子）、１０はリアパネル、１２は扉１１のヒンジ、１３は扉１１のハンドル、１４はサイドパネル９とリアパネル１０の下端に設けたガイドピン、１５はサイドパネル９とリアパネル１０の上端に設けたロックボタン、１６はガイドピン１４が入るガイド穴、１７はヒンジ１２が入るヒンジ穴である。
【０００４】
筐体１００は、図５に示すように、下側面板２に４本のポスト３をネジ止めし、上側面板１を４本のポスト３にネジ止めし、筐体１００の骨組みを形成する。そして、サイドパネル９とリアパネル１０のガイドピン１４を、下側面板２に設けられたガイド穴１６に入れ、サイドパネル９とリアパネル１０のロックボタン１５を、上側面板１にロックする。
【０００５】
扉１１は、２個のヒンジ１２を、下側面板２と上側面板１に設けられたヒンジ穴１７に入れることで、ヒンジ１２を回転軸として、図４の矢印Ｂに示すように開閉できる。扉１１を閉める際、ハンドル１３がセンタープレート６に施錠可能である。
【０００６】
天板８は、図５に示すように、上側面板１にネジ止めする。天板８は、配線穴や冷却用ファンの取り付け板として使用可能である。図４〜図６に示した筐体１００は、このようにして組み立てられ、各種電子機器の収納筐体として機能する。
【０００７】
【発明が解決しようとする課題】
従来のこのような筐体１００では、図５、図６に示したように、フレームグランド用のアース端子７は、下側面板２に１個しか設けて無く、外部からフレームグランドへの接続、フレームグランドから内部への接続は、最小限しかない。
【０００８】
このため、サイドパネル９、リアパネル１０、扉１１は、フレームグランド接続の面から考えると、接続が弱く、性能的に低い筐体となっている。
【０００９】
つまり、高性能電子機器を収納する従来の筐体１００は、フレームグランド性能が低く、実装収納される機器の性能が十分に引き出せず、安定した動作の実現が困難であった。
【００１０】
本発明の目的は、筐体のフレームグランド性能を向上させることにより、筐体収納機器の性能を十分引き出し、収納機器の安定した動作を実現できるフレームグランド強化筐体を提供することにある。
【００１１】
【課題を解決するための手段】
上記課題を解決するため、本発明においては特許請求の範囲に記載するような構成をとる。
【００１２】
すなわち、請求項１記載のフレームグランド強化筐体は、複数の構成部品を組み立てて成る筐体において、複数のアース端子を有し、複数の前記構成部品と、前記アース端子とをアース線で接続して成ることを特徴とする。
【００１３】
本発明では、上記の構成により、筐体のフレームグランド性能を向上させることができ、収納機器の性能を十分引き出し、収納機器の安定した動作を実現できる。
【００１４】
【発明の実施の形態】
以下、構内無線装置、交換機、コンピュータシステム等の機器を収納する筐体の本発明の実施の形態について、図１、図２、図３、図４を用いて説明する。
筐体の全体外観斜視図は、従来技術のところで説明した図４と同様である。
【００１５】
図１は本実施の形態のフレームグランド強化筐体の分解斜視図、図２はフレームグランド強化筐体の断面図（アース線の配線図）、図３は本実施の形態におけるアース線の接続部の詳細を示す拡大斜視図である。図１は従来技術の図５に対応し、図２は従来技術の図６に対応する。
図１〜図３において、既に説明した図４〜図６における同一符号を付けた部材は、同一部材を示し、その繰り返しの説明は省略する。
【００１６】
図１〜図３において、１８はスタッドナット、１９はアース線、２０はスパイラル部である。
【００１７】
本実施の形態のフレームグランド強化筐体１００は、従来は下側面板２に１個しか設けていなかったアース端子７の数を増やしてある。本実施の形態では、２枚のサイドパネル９の近傍の下側面板２にそれぞれ１個ずつ、リアパネル１０の近傍の下側面板２に２個の、計４個設けてある。
【００１８】
また、筐体１００を構成する主要部品、すなわち、上側面板１、２枚のサイドパネル９、リアパネル１０、扉１１、２本のマウントアングル４、２本のマウントレール５と、下側面板２に設けた４個のアース端子７とを、アース線１９によりそれぞれ接続している。上側面板１、２枚のサイドパネル９、リアパネル１０、扉１１と、アース端子７とは、上側面板１、サイドパネル９、リアパネル１０、扉１１側に設けたスタッドナット１８を介して接続している。
【００１９】
また、可動部品である扉１１、取り外しをする２枚のサイドパネル９およびリアパネル１０と、アース端子７とを接続するアース線１９には、スパイラル部（余長処理部）２０を設け、扉１１に関しては可動に差し障り無く、また、扉１１、サイドパネル９、リアパネル１０に関しては分解、組み立てに便利なようになっている。なお、２本のマウントアングル４、２本のマウントレール５、上側面板１等の固定部品部へ接続されるアース線１９には、スパイラル部２０を設けてない。アース線１９の扉１１およびサイドパネル９への接続部であるスタッドナット１８や、アース線１９のスパイラル部２０の詳細については、図３参照のこと。
【００２０】
図１、図２に示すように、リアパネル１０近傍の２個のアース端子７のうちの一方（図２の２個のうちの向かって右側）はリアパネル１０と接続され、右サイドパネル９近傍のアース端子７の一方（図２では向かって右側）は上側面板１、左サイドパネル９、左マウントアングル４、左マウントレール５と接続され、左サイドパネル９近傍のアース端子７の他方（図２では向かって左側）は扉１１、右サイドパネル９、右マウントアングル４、右マウントレール５と接続されている。
【００２１】
このように、本実施の形態のフレームグランド強化筐体１００は、複数の構成部品を組み立てて成る筐体１００において、複数のアース端子７を有し、複数の構成部品、ここでは上側面板１、２枚のサイドパネル９、リアパネル１０、扉１１、２本のマウントアングル４、２本のマウントレール５と、アース端子７とをアース線１９で接続して成ることを特徴とする。
【００２２】
すなわち、筐体１００のベースである下側面板２に設けた４個のアース端子７からフレームグランドラインであるアース線１９を、複数の主要構成部品、ここでは上側面板１、２枚のサイドパネル９、リアパネル１０、扉１１、２本のマウントアングル４、２本のマウントレール５に直接接続している。これらの主要構成部品以外のフレームグランド的に主要でない筐体１００の構成部品、構成部分へのフレームグランド接続は、間接的な渡り接続となっている。また、扉１１のような回転可動部分、および取り外しをする２枚のサイドパネル９、リアパネル１０を接続するフレームグランドラインであるアース線１９には、スパイラル部２０を設けてある。
【００２３】
本実施の形態では、上記のように下側面板２を基準に、筐体１００の基本構成部品をアース線１９で接続することで、インピーダンスの低い筐体１００を実現することができる。本実施の形態による効果としては、▲１▼電源への入力電圧の安定化、▲２▼不要電波の筐体外部への漏洩防止／外部からの影響防止、▲３▼静電気による機器への影響防止、▲４▼筐体収納機器性能の安定した品質の確保である。
【００２４】
以上本発明を実施の形態に基づいて具体的に説明したが、本発明は上記実施の形態に限定されるものではなく、その要旨を逸脱しない範囲において種々変更可能であることは勿論である。
【００２５】
【発明の効果】
以上説明したように、本発明によれば、筐体のフレームグランド性能を向上させることができ、筐体収納機器の性能を十分引き出し、収納機器の安定した動作を実現できるフレームグランド強化筐体を提供することができる。
【図面の簡単な説明】
【図１】本発明の実施の形態のフレームグランド強化筐体の分解斜視図である。
【図２】本発明の実施の形態のフレームグランド強化筐体の断面図（アース線の配線図）である。
【図３】本発明の実施の形態におけるアース線接続部の詳細を示す拡大斜視図である。
【図４】筐体の全体外観斜視図である。
【図５】従来の筐体の分解斜視図である。
【図６】図４のＡ−Ａ切断線における従来の筐体の断面図である。
【符号の説明】
１００…筐体、１…上側面板、２…下側面板、３…ポスト、４…マウントアングル、５…マウントレール、６…センタープレート、７…アース端子、８…天板、９…サイドパネル、１０…リアパネル、１１…扉、１２…ヒンジ、１３…ハンドル、１４…ガイドピン、１５…ロックボタン、１６…ガイド穴、１７…ヒンジ穴、１８…スタッドナット、１９…アース線、２０…スパイラル部。
【図１】
2004119551.tif 000003
【図２】
2004119551.tif 000004
【図３】
2004119551.tif 000005
【図４】
2004119551.tif 000006
【図５】
2004119551.tif 000007
【図６】
2004119551.tif 000008